(57)【特許請求の範囲】
【請求項１】
ジクロロペンタフルオロプロパンおよび（パーフルオロブチル）メチルエーテルを含む溶剤組成物であって、溶剤組成物中のジクロロペンタフルオロプロパンおよび（パーフルオロブチル）メチルエーテルの割合がそれぞれ１０〜５０重量％および５０〜９０重量％であることを特徴とする溶剤組成物。
【請求項２】
ジクロロペンタフルオロプロパンが３，３−ジクロロ−１，１，１，２，２−ペンタフルオロプロパンおよび１，３−ジクロロ−１，１，２，２，３−ペンタフルオロプロパンから選ばれる１種以上である請求項１に記載の溶剤組成物。
【請求項３】
ジクロロペンタフルオロプロパンが３，３−ジクロロ−１，１，１，２，２−ペンタフルオロプロパン１〜９９重量％および１，３−ジクロロ−１，１，２，２，３−ペンタフルオロプロパン１〜９９重量％からなる請求項１に記載の溶剤組成物。
【請求項４】
（パーフルオロブチル）メチルエーテルが（パーフルオロ−ｎ−ブチル）メチルエーテルおよび（パーフルオロイソブチル）メチルエーテルから選ばれる１種以上である請求項１、２または３に記載の溶剤組成物。
【発明の詳細な説明】
【０００１】
【発明の属する技術分野】
本発明は、ジクロロペンタフルオロプロパンと（パーフルオロブチル）メチルエーテルを含む溶剤組成物に関する。
【０００２】
【従来の技術】
各種油脂洗浄、フラックス洗浄、塵埃洗浄、水分除去溶剤、ドライクリーニング溶剤、反応溶剤、希釈溶剤などには、不燃性、低毒性、安定性に優れるジクロロペンタフルオロプロパン（以下、Ｒ２２５と略す）、１，１−ジクロロ−１−フルオロエタン（以下、Ｒ１４１ｂと略す）、またはＲ２２５もしくはＲ１４１ｂとこれらに可溶な溶剤との混合溶剤組成物が普及している。さらに（パーフルオロブチル）メチルエーテルが見出されて、普及しつつある。
【０００３】
【発明が解決しようとする課題】
Ｒ２２５またはＲ２２５とＲ２２５に可溶な溶剤との混合溶剤組成物は、各種油脂洗浄、フラックス洗浄に使用されている。しかし、Ｒ２２５はアクリル樹脂に対する影響があり、この樹脂を含む部品の洗浄には使用できなかった。
【０００４】
（パーフルオロブチル）メチルエーテルは、樹脂に対する影響は小さいが、油などに対する溶解力が小さく、洗浄力が不足し、充分な洗浄効果をあげることができない。
【０００５】
ＷＯ−９６／３６６８９には、Ｒ２２５が６１〜９０重量％と（パーフルオロブチル）メチルエーテルが１０〜３９重量％の共沸様組成物が示されている。しかしこの組成物は、Ｒ２２５のアクリル樹脂への影響を改善する効果はないことが、本発明者の検討により確認された。
【０００６】
本発明の目的は、Ｒ２２５が有する優れた特性である油などに対する溶解力を維持し、かつアクリル樹脂への影響を改善した、Ｒ２２５と（パーフルオロブチル）メチルエーテルを含む溶剤組成物を提供することにある。
【０００７】
【課題を解決するための手段】
本発明は、ジクロロペンタフルオロプロパンおよび（パーフルオロブチル）メチルエーテルを含む溶剤組成物であって、溶剤組成物中のジクロロペンタフルオロプロパンおよび（パーフルオロブチル）メチルエーテルの割合がそれぞれ１０〜５０重量％および５０〜９０重量％であることを特徴とする溶剤組成物である。
【０００８】
本発明におけるＲ２２５とは、化学式Ｃ3 ＨＣｌ2 Ｆ5 で表されるジクロロペンタフルオロプロパンの異性体群から選ばれる１種以上を意味する。Ｒ２２５の好ましいものは、３，３−ジクロロ１，１，１，２，２−ペンタフルオロプロパン（以下、Ｒ２２５ｃａと略す）および１，３−ジクロロ−１，１，２，２，３−ペンタフルオロプロパン（以下、Ｒ２２５ｃｂと略す）から選ばれる１種以上である。
【０００９】
特に好ましいＲ２２５は、Ｒ２２５ｃａおよびＲ２２５ｃｂの混合物である。好ましい混合割合は、Ｒ２２５ｃａ／Ｒ２２５ｃｂ＝１〜９９重量％／１〜９９重量％であり、さらに好ましくはＲ２２５ｃａ／Ｒ２２５ｃｂ＝５〜７５重量％／２５〜９５重量％である。
【００１０】
本発明における（パーフルオロブチル）メチルエーテルとは、化学式Ｃ4 Ｆ9 −Ｏ−ＣＨ3 で表される化合物群から選ばれる１種以上を意味する。（パーフルオロブチル）メチルエーテルの好ましいものは、（パーフルオロ−ｎ−ブチル）メチルエーテルおよび（パーフルオロイソブチル）メチルエーテルから選ばれる１種以上である。
【００１１】
特に好ましい（パーフルオロブチル）メチルエーテルは、（パーフルオロ−ｎ−ブチル）メチルエーテルおよび（パーフルオロイソブチル）メチルエーテルの混合物である。好ましい混合割合は（パーフルオロ−ｎ−ブチル）メチルエーテル／（パーフルオロイソブチル）メチルエーテル＝１０〜８０重量％／２０〜９０重量％であり、より好ましい混合割合は（パーフルオロ−ｎ−ブチル）メチルエーテル／（パーフルオロイソブチル）メチルエーテル＝２０〜６０重量％／４０〜８０重量％である。
【００１２】
本発明の溶剤組成物は、Ｒ２２５および（パーフルオロブチル）メチルエーテルを含み、かつ溶剤組成物中の混合割合がそれぞれ１０〜５０重量％、５０〜９０重量％である。Ｒ２２５の混合割合が１０重量％未満では、油脂に対する溶解力が著しく低く、洗浄溶剤などの使用目的に適さない。Ｒ２２５の混合割合が５０重量％超では、アクリル樹脂、特にメチルメタクリレート樹脂などの熱可塑性アクリル樹脂に対する影響が大きく、そのため接触させられない材質ができ、広範囲の応用ができなくなる。
【００１３】
本発明の溶剤組成物は、本発明の目的を阻害しない範囲で上記Ｒ２２５および（パーフルオロブチル）メチルエーテル以外の化合物を含有してもよい。
【００１４】
主として溶解性を調整するためには、例えば以下に挙げる化合物の１種以上を好ましくは０．１〜４０重量％、より好ましくは０．１〜３０重量％、さらに好ましくは０．１〜２０重量％の範囲で本発明の組成物中へ配合できる。
【００１５】
ｎ−ペンタン、２，２−ジメチルプロパン、ｎ−ヘキサン、２−メチルペンタン、３−メチルペンタン、２，２−ジメチルブタン、２，３−ジメチルブタン、ｎ−ヘプタン、２−メチルヘキサン、３−メチルヘキサン、２，３−ジメチルペンタン、２，４−ジメチルペンタン、ｎ−オクタン、２，２，３−トリメチルペンタン、２，２，４−トリメチルペンタン、シクロペンタン、シクロヘキサン、メチルシクロヘキサン、エチルシクロヘキサンなどの炭化水素類。
【００１６】
ジクロロメタン、ｃｉｓ−１，２−ジクロロエチレン、ｔｒａｎｓ−１，２−ジクロロエチレン、トリクロロエチレン、テトラクロロエチレンなどの塩素化炭化水素類。
【００１７】
１−ブロモプロパン、２−ブロモプロパンなどの臭素化炭化水素類。
アセトン、メチルエチルケトン、メチルブチルケトン、メチルイソブチルケトンなどのケトン類。
【００１８】
ジエチルエーテル、メチルセロソルブ、テトラヒドロフラン、１，４−ジオキサンなどのエーテル類。
２，２−ジクロロ−１，１，１−トリフルオロエタン、１，１−ジクロロー１−フルオロエタンなどの含水素塩素化フッ素化炭化水素類。
【００１９】
酢酸メチル、酢酸エチル、酢酸プロピル、酢酸ブチルなどのエステル類。
【００２０】
メタノール、エタノール、１−プロパノール、２−プロパノール、１−ブタノール、２−ブタノール、イソブタノール、ｔ−ブタノールなどのアルコール類。
【００２１】
主として安定性を高めるために、例えば以下に挙げる化合物の１種以上を０．００１〜５重量％の範囲で本発明の組成物中へ配合することが好ましい。
【００２２】
ニトロメタン、ニトロエタン、ニトロプロパン、ニトロベンゼンなどのニトロ化合物類。
ジエチルアミン、トリエチルアミン、イソプロピルアミン、ｎ−ブチルアミンなどのアミン類。
【００２３】
フェノール、ｏ−クレゾール、ｍ−クレゾール、ｐ−クレゾール、チモール、ｐ−ｔ−ブチルフェノール、ｔ−ブチルカテコール、カテコール、イソオイゲノール、ｏ−メトキシフェノール、ビスフェノールＡ、サリチル酸イソアミル、サリチル酸ベンジル、サリチル酸メチル、２，６−ジ−ｔ−ブチルーｐ−クレゾールなどのフェノール類。
【００２４】
２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、１，２，３−ベンゾトリアゾール、１−［（Ｎ，Ｎ−ビス−２−エチルヘキシル）アミノメチル］ベンゾトリアゾールなどのトリアゾール類。
【００２５】
本発明の溶剤組成物は、Ｒ２２５および（パーフルオロブチル）メチルエーテルを特定の割合で含むため、洗浄される物品の材質、例えば軟質塩化ビニル、ポリスチレン、ポリカーボネート、ポリフェニレンオキシド、ＡＢＳ樹脂、アクリル樹脂、ＥＰＤＭゴムなどのプラスチック類やゴム類への影響がなく、しかも引火性がない優れたものである。
【００２６】
さらに本発明の溶剤組成物は、従来のＲ２２５と同程度の溶解力を有し、各種用途に好適に使用できる。こうした具体的な用途としては、グリース、油、フラックス、ワックス、インキ、塵埃などの汚れを除去する洗浄剤、固体表面に付着している水分を除去するための水分除去剤、重合などの化学反応における反応溶剤、各種化学物質を希釈するための希釈溶剤、抽出溶剤、塗料用溶剤、ドライクリーニング用溶剤などが挙げられる。
【００２７】
上記洗浄剤や水分除去剤が適用可能な物品の材質には、ガラス、セラミックス、プラスチック、ゴム、金属などがあり、物品の種類にはＩＣ部品、電気機器、精密機械、光学レンズなどがある。洗浄方法としては、手拭き、浸漬、スプレー、揺動、超音波洗浄、蒸気洗浄またはこれらを組み合せた方法等を採用すればよい。
【００２８】
【実施例】
表１に実施例（例１〜９）および比較例（例１０〜１８）の溶剤組成物におけるｃａ体［Ｒ２２５ｃａ］、ｃｂ体［Ｒ２２５ｃｂ］、ｎＢ体［（パーフルオロ−ｎ−ブチル）メチルエーテル］、ｉＢ体［（パーフルオロイソブチル）メチルエーテル］の配合割合（単位：重量％）を示す。
【００２９】
「金属加工油の洗浄試験（その１）」
表１の溶剤組成物を用いて金属加工油の洗浄試験を行った。すなわち、メチルメタクリレート樹脂のテストピース（２５ｍｍ×３０ｍｍ×３ｍｍ）を金属加工油である日本ホートン社製ホートドロー３１０５中に浸漬した。浸漬後引き上げた上記テストピースを、沸騰している表１の溶剤組成物中に１０分間浸漬した。浸漬後のテストピースを目視観察し、外観変化（◎：変化なし、×：割れもしくは部分的溶解が発生）を判定した結果を表１のＡ欄に示す。
【００３０】
「金属加工油の洗浄試験（その２）」
表１の溶剤組成物を用いて金属加工油の洗浄試験を行った。すなわち、ＳＵＳ−３０４のテストピース（２５ｍｍ×３０ｍｍ×２ｍｍ）を金属加工油である「日本ホートン社製ホートドロー３１０５（Ｂ欄）、出光興産社製ダフニカットＡＳ４０Ｈ（Ｃ欄）、出光興産社製ダフニカットＡＳ３０Ｄ（Ｄ欄）および出光興産社製ダフニカットＡＳ２５Ｆ（Ｅ欄）」中に浸漬した。浸漬後引き上げた上記テストピースを、４０℃に保温した表１の溶剤組成物中に５分間浸漬した。加工油の除去度（◎：良好に除去可、△：微量残存、×：かなり残存）を判定した結果を表１のＢ〜Ｅ欄に示す。
【００３１】
【表１】
0003661361.tif 000002
【００３２】
【発明の効果】
本発明の溶剤組成物は、従来の１，１，２−トリクロロ−１，２，２−トリフルオロエタンや１，１，１−トリクロロエタンが有している優れた特性を満足し、洗浄される物品の材質への影響がなく、オゾン層へほとんど影響を与えないなどの利点がある。